(57)【特許請求の範囲】
【請求項１】
正面側に遊技球が流下する遊技領域を有するとともに、前記遊技領域内に遊技球が入球する入球口を有する遊技盤と、前記遊技領域の正面を覆う二重の透明板が設けられた透明板枠とを備えている遊技機であって、
前記二重の透明板の間に、磁場により磁化し、磁場が切れると元に戻る強磁性体の細線が少なくとも前記入球口の周囲を覆うように網状に配置されるとともに、前記遊技領域の外側にまで延在して配置され、
前記網状の細線の前記遊技領域の外側に延出した部分の磁気を検知する磁気検知センサが前記遊技領域と前後に重ならない位置に設けられ、
前記磁気検知センサが前記細線の磁気を検知した場合に、磁気が検知されたことを示す信号を出力する信号出力手段を備えていることを特徴とする遊技機。
【請求項２】
前記遊技盤が収められた本体ユニットと、この本体ユニットを周囲から支持する枠と、前記枠に開閉自在に軸支された前記透明板枠とを備え、
前記磁気検知センサは、前記本体ユニットに設けられ、前記透明板枠を閉めた状態で、前記網状の細線および磁気検知センサは、互いに近接して対向することを特徴とする請求項１に記載の遊技機。
【発明の詳細な説明】
【技術分野】
【０００１】
本発明は、遊技盤面上に設けられた遊技領域に遊技球を発射して遊技を行う遊技機に関する。
【背景技術】
【０００２】
パチンコ遊技機等の遊技球をガイドレールで区画された遊技領域に発射して、この遊技領域内を流下する遊技球に基づいて、遊技を行う遊技機においては、遊技領域内に、例えば、電動チューリップ（電チュー）や、アタッカなどの開閉変動する入賞口や、一般入賞口等の固定の入賞口（電チューを備えていない始動入賞口も含まれる）が設けられている。
また、各種入賞口の上側には、遊技球を入賞口の開口部に近づく側と、開口部から遠ざかる側とに振り分けるなどの機能を有する遊技釘が複数盤面に植設された状態になっており、遊技釘により各入賞口への遊技球の入賞率が左右されるようになっている。
【０００３】
また、遊技盤の正面側には、遊技盤に対して遊技領域になる空間の厚み分だけ離れてガラス枠が設けられている。すなわち、遊技盤は、視認可能にガラス枠に覆われている。なお、ガラス枠は、例えば、二枚のガラス板を重ねて配置した二重ガラスからなっている。また、二枚のガラス板の間には、間隔があけられている。
【０００４】
遊技機においては、上述の入賞口に遊技球が入賞することに基づいて、賞球が払い出されたり、ゲームが行われる。また、ゲームの結果に基づいて、開閉変動する入賞口が開放して遊技球が入賞しやすい状態、すなわち、賞球の払い出しが多くなる状態が発生する。
このような遊技機における遊技球は、鋼球であり、磁石に吸引（吸着）される性質をもっている。したがって、ガラス枠の正面側から磁石を当てて、遊技球を入賞口方向に誘導することによって、入賞口への遊技球の入賞率を向上させる不正行為を行うことが可能である。
【０００５】
また、磁石を使った不正行為には、磁石により遊技球の流下を止めて、入賞口周囲の遊技釘や、入賞口近傍のガイドレールなどを利用して球詰まりを発生させ、この球詰まりに基づいて多くの球を溜め、これら溜められた球により、入賞口に遊技球を誘導する不正行為が行われる場合がある。また、遊技球を検知する非接触型センサ（例えば、コイルの内側を通過する遊技球によるコイルのインピーダンスの変化を検出するセンサ）を磁石の磁力により誤作動させる不正行為も知られている。
【０００６】
このような電磁石による不正行為に対しては、遊技機に磁力センサ等の磁力を検出可能な装置を用い、磁力が検知されたことに基づいて、不正行為が行われている可能性があることを報知するものが知られている（たとえば、特許文献１から特許文献４参照）。
【先行技術文献】
【特許文献】
【０００７】
【特許文献１】実開平０６−３３８６号公報
【特許文献２】特開２００７−１８５２８５号公報
【特許文献３】特開２００４−１４７６８７号公報
【特許文献４】特開２００４−８１２３２号公報
【発明の概要】
【発明が解決しようとする課題】
【０００８】
ところで、磁気センサは、一般的に検出範囲が狭く、遊技盤面の裏面側から遊技領域の比較的広い範囲をカバーしようとすると、多くの磁気センサが必要になる。また、磁石による不正が行われる可能性が高い個所、例えば、上述のガイドレールの近傍の一般入賞口付近や始動入賞口付近などに集中的に検出センサを配置する場合にも、有る程度の数の磁気センサが必要になる。
【０００９】
遊技盤面の裏面側には、入賞口から遊技盤裏面に排出された遊技球を遊技機の外部に誘導する流路や、遊技盤を貫通して裏面側に突出する各種装置として、ディスプレイや、各種ＬＥＤを用いた発光装置や、各種可動部材の駆動装置等が配置されるとともに、各種回路の基板（制御回路の主基板やサブ基板を含むとともに、配線の接続用の基板を含む）が配置されている。
【００１０】
したがって、遊技領域の多くの部分で磁気を検知可能とするために、遊技盤の裏面に分散して多くの磁気センサを配置することが難しく、さらに、一部の領域に集中的に磁気センサを配置することも困難である。逆に、磁気センサの設置場所を確保してしまうと、遊技盤の裏面側に突出するように配置されるディスプレイや各種部材の配置が制限されてしまう。
特許文献１から特許文献４においては、磁気を検出可能な装置に様々な工夫を行うことによって、より確実に不正を検知することが図られているが、必ずしも十分なものではなかった。
【００１１】
本発明は、前記事情に鑑みて為されたもので、強磁性体からなる細線をガラス枠の二枚のガラスの間に網状に配置し、直接磁石の磁気を検知するのではなく、磁石の磁場により磁化した細線の磁気を磁気検知センサで検知することによって、磁石による不正行為を検知可能とする遊技機を提供することを目的とする。
【課題を解決するための手段】
【００１２】
前記課題を解決するために、請求項１に記載の弾球遊技機は、正面側に遊技球が流下する遊技領域を有するとともに、前記遊技領域内に遊技球が入球する入球口を有する遊技盤と、前記遊技領域の正面を覆う二重の透明板が設けられた透明板枠とを備えている遊技機であって、
前記二重の透明板の間に、磁場により磁化し、磁場が切れると元に戻る強磁性体の細線が少なくとも前記入球口の周囲を覆うように網状に配置されるとともに、前記遊技領域の外側にまで延在して配置され、
前記網状の細線の前記遊技領域の外側に延出した部分の磁気を検知する磁気検知センサが前記遊技領域と前後に重ならない位置に設けられ、
前記磁気検知センサが前記細線の磁気を検知した場合に、磁気が検知されたことを示す信号を出力する信号出力手段を備えていることを特徴とする。
【００１３】
請求項１に記載の発明においては、例えば、遊技盤のいずれかの入球口（例えば、入賞口や、遊技球の流入（通過）が検知されても賞球の払い出しがないスルーチャッカー等）の近傍に透明板枠（ガラス枠）の正面側から磁石を当てて、遊技球を入球口に誘導したり、入球口の遊技球検知センサを誤作動させたり、遊技球を溜まらせて溜まった遊技球により遊技球を入賞口に誘導したりする不正行為が行われた際に、これを遊技領域と前後に重ならない位置の磁気検知センサで検知することができる。
【００１４】
すなわち、透明板枠を介して磁石を遊技領域に近接させると、磁石の磁場が網状の細線を磁化させ、強磁性体からなる細線から磁気が生じ、これを磁気検知センサで検知することができる。
磁気検知センサを遊技領域と前後に重ならない位置に配置できるので、各種部材が配置されている遊技盤の遊技領域の背面側になる部分に磁気センサを配置する必要がないので、磁気センサの配置が容易になる。また、網状の細線から生じる磁気を検知できればよいので、磁気の検知範囲が狭まい磁気センサであっても、遊技機に一つ配置すればよい。すなわち、多くの磁気センサを遊技盤に配置する必要がないので、磁気センサを容易に設置できるとともにコストの低減を図ることができる。また、多くの磁気センサを配置可能とするために、遊技盤の背面で各部材の配置が制限されることがない。すなわち、磁気センサの配置に制約されることなく、遊技盤にディスプレイ、照明装置、可動装置等を配置することができる。
【００１５】
請求項２に記載の弾球遊技機は、請求項１に記載の発明において、前記遊技盤が収められた本体ユニットと、この本体ユニットを周囲から支持する枠と、前記枠に開閉自在に軸支された前記透明板枠とを備え、
前記磁気検知センサは、前記本体ユニットに設けられ、前記透明板枠を閉めた状態で、前記網状の細線および磁気検知センサは、互いに近接して対向することを特徴とする。
【００１６】
請求項２に記載の発明においては、網状の細線が透明板枠に設けられるのに対して、磁気検知センサが遊技盤を収容する本体ユニット側に設けられている。なお、本体ユニットは遊技盤を含むもので、磁気検知センサは、遊技盤の遊技領域以外の部分に設けられていてもよい。
【００１７】
透明板枠を閉めた状態では、透明板枠の細線と本体ユニットの磁気検知センサとが近接して対向する位置に配置されているので、磁気検知センサにより磁石に磁化された細線の磁気を容易に検知することが可能になる。
【００１８】
また、細線側は、配線を必要とせず、磁気検知センサが配線を必要とし、かつ、枠や透明板枠に対して本体ユニットを取り外して交換することにより、遊技機の機種交換が可能になっている。したがって、本体ユニットを交換した際に、透明板枠の細線と、本体ユニットの磁気検知センサとの間に配線を必要としないことによって、本体ユニット側に磁気検知センサを備え、透明板枠側に細線を備えていても、機種交換の作業効率が悪化するのを防止できる。
すなわち、磁気を検知するシステムの一部としての細線が透明板枠側にあっても、本体ユニット側の磁気検知センサと細線とが接続されていないので、本体ユニットを交換する機種変更時の作業効率に細線と磁気検知センサとが影響せず、機種交換を容易に行うことができる。
【発明の効果】
【００１９】
本発明によれば、遊技盤裏面に多くの磁気検知センサを設けることなく、磁石の検知を行うことが可能になる。これにより、磁石による不正を検知するための構成を簡略化しコストの削減を図ることができる。また、磁気検知センサを遊技領域に対応する位置に複数配置する必要がないことから、磁気検知センサにより遊技盤上の各部材の配置が制限されることがなく、遊技盤の各変動入賞装置、ディスプレイ、照明装置、可動装置等の部材の配置の自由度を高めることができる。
【図面の簡単な説明】
【００２０】
【図１】本発明の実施の形態に係る弾球遊技機としてのパチンコ遊技機を示す斜視図である。
【図２】ガラス枠を開放した状態の前記パチンコ遊技機を示す斜視図である。
【図３】前記パチンコ遊技機を示す背面側の斜視図である。
【図４】網状の細線を備える前記ガラス枠を示す図面であって、（ａ）は概略正面図であり、（ｂ）は概略断面図である。
【発明を実施するための形態】
【００２１】
本発明の実施の形態を図面を参照して説明する。
図１及び図２に示すように、本発明の実施形態に係るパチンコ遊技機Ｐは、遊技場の島設備に設置される縦長方形状の機枠１（枠）と、機枠１に扉状に開閉自在に取り付けられた前面枠２と、前面枠２の内側に収容された遊技盤３と、前面枠２の前面側に扉状に開閉自在に取り付けられ、中央に大きく窓部８が形成されたガラス枠（透明板枠）４とを備える。また、このガラス枠４には、透明な二重のガラス板（透明板）１０が嵌め込まれているとともに、窓部８からガラス板１０を介して遊技盤３が視認可能になっている。前面枠２の下側には、遊技球を収容する受皿５を有する前面ボード６が開閉自在に設けられている。また、前面ボード６には、ハンドル７が設けられている。また、前面ボード６で覆われる前面枠２の下部には、発射装置９が設けられてる。さらに、ガラス枠４の上部にはスピーカ２０が左右に１個ずつ取り付けられており、遊技に関する様々な効果音を発している。
【００２２】
また、図３に示すように、このパチンコ遊技機Ｐは、背面側に、主制御処理部１１と、演出表示制御部１２ａと、特別図柄表示制御部１２ｂと、ランプ制御処理部１２ｃと、音声制御処理部１２ｄと、払出制御処理部１２ｅと、普通図柄表示制御部１２ｆと、発射制御処理部１３と、賞球払出装置１４等を備えている。
【００２３】
遊技盤３の収納部を有する前面枠２と遊技盤３とから本体ユニットが形成されている。
遊技盤３は、その正面側（前面側）の盤面に遊技領域３１を有している。遊技盤３には、発射装置９で発射された遊技球を遊技領域３１に誘導するとともに、遊技領域３１を区画するガイドレール３２、３３が設けられている。また、遊技領域３１内には、特別図柄表示装置１７と、演出表示装置３４と、スルーチャッカ２１と、普通図柄表示装置２２と、電動チューリップ（電チュー）４９と、ステージ３６と、始動入賞口３７と、一般入賞口３８と、アウト口３９と、遊技釘（図示せず）と、風車（図示せず）と、アタッカー装置４１等が設けられている。
【００２４】
演出表示装置３４は、遊技盤３の略中央部に設けられ、始動入賞口３７に遊技球が入賞することを契機に行われた後述の特別図柄を用いた変動表示ゲームの抽選の結果に基づいて演出画像を表示するものであって、本実施形態では液晶表示装置が用いられている。
また、特別図柄表示装置１７は、始動入賞口３７に遊技球が入賞することを契機に行われた特別図柄を用いた変動表示ゲームを表示するためのものである。
【００２５】
スルーチャッカ２１は、遊技球が通過可能なゲート構造を成しており、その内部には遊技球が通過したことを検知するセンサが内蔵されている。また、このスルーチャッカ２１を遊技球が通過したことを契機に行われる普通図柄の変動表示ゲームの抽選の結果を表示するための普通図柄表示装置２２が、特別図柄表示装置１７の隣に設けられている。
【００２６】
電動チューリップ４９は、始動入賞口３７の入口に設けられ、遊技盤３の面に直交する軸を中心に回動する一対の羽根部材を備えており、ソレノイドに通電がなされると一対の羽根部材が互いに離れる方向に回動して、始動入賞口３７の入口を拡大するようになっている。
【００２７】
ステージ３６は、演出表示装置３４の下方に配置されており、遊技球が転動しながら一時的に滞在する構造物である。このステージ３６の中央には溝が形成されており、この溝の真下の位置には始動入賞口３７が配されている。そのため、溝から落下した遊技球は、高い確率で始動入賞口３７へと導かれる。アタッカー装置４１は、始動入賞口３７に遊技球が入賞することを契機に行われる特別図柄の変動表示ゲームの抽選の結果、当たり（特別図柄当たり）になって大当たり遊技に移行した場合に所定回数開放される装置である。
このアタッカー装置４１が開放すると、大入賞口４２が露呈し、そこに遊技球が入賞することによって多くの賞球が獲得できるようになっている。
【００２８】
また、一般入賞口３８に遊技球が入賞すると、所定個数の遊技球が賞球として遊技者に払い出される。そして、始動入賞口３７や一般入賞口３８に入らなかった遊技球は、アウト口３９から回収される。なお、始動入賞口３７、一般入賞口３８、大入賞口４２の内部にはそれぞれ遊技球の通過を検知するためのセンサが設けられている。
【００２９】
前面ボード６には遊技球を収容するとともに、外部に排出可能な受皿５が取り付けられている。この受皿５は、遊技者が投入した遊技球を収容するだけでなく、賞球払出装置１４から賞球として払い出された遊技球も収容可能になっている。また、遊技球を遊技領域３１に向けて発射するための発射装置９が前面枠２の下部に取り付けられており、受皿５に収容されている遊技球がこの発射装置９に１個ずつ供給される。そして、前面ボード６の右下に取り付けられたハンドル７を回動させると、その回動量に応じた発射強度で発射装置９が遊技球を遊技領域３１へと発射することができるようになっている。
【００３０】
このようなパチンコ遊技機Ｐにおいて、図４に示すようにガラス枠４の二重のガラス板１０の間には、網状の強磁性体からなる細線５０が設けられている。
細線５０は、例えば、傾きが互いに逆の細線からなる斜め格子状、または、縦横の細線からなる格子状の網目状に形成されている。
また、細線５０は、二重のガラス板１０のうちの内側（遊技盤３に近い側）のガラス板１０の正面側に貼り付けた状態で配置されている。
【００３１】
細線５０は、例えば、強磁性体としての鉄線（超極細鋼線）であり、例えば、スクリーン印刷用ファインメッシュで用いられる超極細鋼線では、線径が０．０２ｍｍ以下のものが知られている。
遊技者は、細線５０を介して遊技盤３の遊技領域３１を視認することになることから、細線５０は、遊技者の視認の邪魔にならない程度に細い必要があり、視認性を考慮した場合に、できるだけ細い細線５０を用いることが好ましいが、例えば、線径が０．０１ｍｍから０．０８ｍｍ程度の細線を好適に用いることができる。
【００３２】
また、細線５０は、ステンレス鋼線であっても良く、この場合に強磁性を示すステンレス鋼からなる鋼線を用いることができる。
なお、この実施形態における強磁性体とは、磁場によって磁化し、磁場が切れた際に磁化がなくなる（磁化する前の状態に戻る）材料であり、不正行為で用いられる磁石程度の磁場によって磁化した後に、磁場が切れても自発磁化を持つものではない。
【００３３】
また、細線５０の網目のサイズは、視認性と、磁化した際の磁力の強さとを考慮して決定される。網目のサイズは、細線５０の線径とともに実験的に決定される。例えば、パチンコ遊技機Ｐで一般的に用いられる磁気検知センサを用い、細線５０に磁石を近づけた際に、同様に細線５０の近傍の磁気検知センサ５１で検知できるか否かと、細線５０のどの位置に磁石を近接させても検知できるか否かを実験する。この場合に、最終的に、細線を有する二重のガラス板１０を介して磁気検知センサ５１で検知可能になる細線５０の線径と、網目のサイズを決定する。
【００３４】
この細線５０が磁化された際の磁気を検知する磁気検知センサ（遊技球検知センサ）５１は、この実施形態において、前面枠２および遊技盤３からなる本体ユニットの遊技盤３に設けられている。
【００３５】
遊技盤３のガイドレール３２で区切られた遊技領域３１の外側の正面部分に磁気検知センサ５１が設けられている。この実施形態では、遊技盤３の遊技領域３１の外側の向かって右下部分に磁気検知センサ５１が一つだけ設けられている。
遊技盤３の磁気検知センサ５１は、本体ユニットに対して開閉自在なガラス枠４に設けられた網状の細線５０に、ガラス枠４を閉じた際に、近接して対向する位置になっている。
【００３６】
したがって、磁気検知センサ５１は、ガラス枠４の二重のガラス板１０の間に設けられた網状の細線５０と近接した位置に配置され、上述のように細線５０が不正行為に用いられる磁石により磁化された場合に、細線５０で生じる磁気を検知可能になっている。
また、磁気検知センサ５１の配線は、基本的に従来の磁気検知センサと同様に、遊技盤３の裏面に設けられた制御装置（制御基板）として、例えば、上述の主制御処理部１１、演出表示制御部１２ａ、特別図柄表示制御部１２ｂ、ランプ制御処理部１２ｃ、音声制御処理部１２ｄ等の制御部のいずれかに接続されている。
【００３７】
磁気検知センサ５１からは、たとえば、所定の強度以上の磁気が検出された場合に、パチンコ遊技機Ｐを制御する上述の制御部のいずれかに信号が出力されるようになっている。
例えば、磁気検知センサ５１から信号は、主制御処理部１１に送られ、この信号に基いてエラー処理が行われたり、外部の管理装置への不正行為を示す信号出力が行われたりする。したがって、磁気検知センサ５１が、磁気が検知されたことを示す信号を出力する信号出力手段を兼ねているが、制御装置側で、磁気検知センサ５１からの出力（アナログ出力）を判定して、磁気を検知したことを示す信号を出力する場合には、例えば、主制御処理部１１等の制御装置を信号出力手段としてもよい。
また、島設備の警告灯に信号を出力して島設備の警告灯を点灯するような構成としてもよい。
【００３８】
このパチンコ遊技機Ｐにあっては、ガラス枠４の二重のガラス板１０の間に設けられた網状の強磁性体の細線５０が遊技盤３の遊技領域３１の正面側の全面を覆っており、ガラス枠４の正面側から遊技領域３１に向けて磁気を作用させるように、磁石をガラス枠４に接触させたり、近づけたりした場合に、ガラス枠４の細線５０が磁化される。
【００３９】
また、細線５０はガラス枠４の二重のガラス板１０の遊技盤３の遊技領域３１の外側部分に対向する部分にも設けられており、細線５０と、遊技盤３の遊技領域３１の外側に配置された磁気検知センサ５１とが近接して対向して配置され、細線５０が磁石により磁化された場合に、細線５０から発生する磁気を、磁気検知センサ５１で検知可能になっている。
【００４０】
これにより、磁石をガラス枠４の遊技領域３１に対向する部分のいずれに近接もしくは接触させても、磁石がガラス枠４に近接もしくは接触させられたことを一つの磁気検知センサで検知することができる。
すなわち、前面枠２と遊技盤３からなる本体ユニットの遊技領域３１の外側（前面枠２および遊技盤３の遊技領域３１と前後に重なる部分を除く部分）で、かつ、ガラス枠４の二重のガラス板１０と対向する部分に、一つの磁気検知センサ５１を配置し、網状の細線５０を遊技領域３１に対向する部分と磁気検知センサ５１に対向する部分とを一体に覆うように配置することによって、遊技領域３１の全域に渡って、磁石の近接を検知できる。
【００４１】
したがって、遊技盤３の背面側に一般的に磁気検知範囲の狭い磁気検知センサ５１を複数配置する必要がなく、さらに一つも配置する必要がない。これにより、多くの部材が配置される遊技盤３の背面のスペース効率の向上を図ることができる。また、磁気検知センサ５１を遊技盤３の背面に配置する際に、磁気検知センサ５１の配置箇所が制限されて、遊技領域３１の磁石を検知可能は範囲が制限されるのを防止できる。
【００４２】
また、複数の磁気検知センサ５１を遊技盤３の所望の位置に配置するために、遊技盤３に配置される他の部材の位置が制限されるのを防止できる。
また、磁気検知センサ５１の数を減らすことによって、コストダウンおよび製造工程の簡略化を図ることができる。
【００４３】
また、一般に遊技店でのパチンコ遊技機Ｐの機種変更が行われる場合に、パチンコ遊技機Ｐ全体を交換する場合と、機枠１やガラス枠４等を残し、本体ユニットだけを交換する場合とがある。本体ユニットだけを交換する場合に、ガラス枠４側の網状の細線５０と、本体ユニット側の磁気検知センサ５１とは、配線等で接続されておらず、本体ユニットを機枠１から外す際に、磁気検知センサ５１の配線を取り外したり、変更したりするような必要がなく、また、磁気検知センサ５１を有する新たな本体ユニットを設置する際にも磁気検知センサ５１の配線作業を行う必要がない。磁気検知センサ５１の配線は、例えば遊技盤３もしくは前面枠２に部材を取り付ける際に、行われる。
【００４４】
なお、上記実施形態では、ガラス板１０の略全面に網状の細線を配置したが、必ずしもガラス板１０の全面に渡って網状の細線を配置する必要はなく、たとえば、遊技盤３に設けられた各入賞口の正面側を覆う部分を主に覆うとともに、磁気検知センサ５１の部分を覆うようにしてもよい。この場合に、全て一体に繋がった状態になっている必要があり、例えば、細線５０からなる網の複数箇所で細線５０がない穴（網目ではない）が設けられた形状になっていてもよい。
【００４５】
この場合に、細線５０のある部分と無い部分とで、視覚的に僅かに異なる状態になり、それをデザインの一部として用いてもよい。
また、細線５０には、例えば、反射防止コーティングを行うものとしてもよい。
また、二重のガラス板１０の間に細線を配置する際に、後側のガラス板１０の正面部分に細線５０を貼り付けた状態に配置するものとしたが、前側のガラス板１０の背面に細線５０を貼り付けた状態としてもよい。
【００４６】
以上、本発明者によってなされた発明を適用した実施の形態について説明したが、この実施の形態による本発明の開示の一部をなす論述および図面により本発明は限定されることはない。すなわち、この実施の形態に基づいて当業者等によりなされる他の実施の形態、実施例および運用技術等は全て本発明の範疇に含まれることは勿論であることを付け加えておく。
【符号の説明】
【００４７】
Ｐ      パチンコ遊技機
１      機枠（枠）
２      前面枠（本体ユニット）
３      遊技盤（本体ユニット）
４      ガラス枠（透明板枠）
１０    ガラス板（透明板）
３１    遊技領域
５０    細線
５１    磁気検知センサ（信号出力手段）
【図１】
0005695406.tif 000002
【図２】
0005695406.tif 000003
【図３】
0005695406.tif 000004
【図４】
0005695406.tif 000005